(57)【要約】【課題】洗濯機の上蓋の裏面に掛けて洗濯物を乾燥させるときに誤って洗濯物が攪拌翼に巻き込まれても上蓋の損傷を防止できるハンガーを提供する。【解決手段】ハンガー本体と、ハンガー本体の首部１０２に分離可能に取り付けられ、ハンガー本体を吊り下げるためのフック部１０１とを備える。【選択図】図１
2014042738.tif 000002
【特許請求の範囲】
【請求項１】
ハンガー本体と、
上記ハンガー本体の首部に分離可能に取り付けられ、上記ハンガー本体を吊り下げるためのフック部と
を備えたことを特徴とするハンガー。
【請求項２】
請求項１に記載のハンガーにおいて、
上記ハンガー本体と上記フック部とを結合すると共に、互いに分離可能な係合凸部およびその係合凸部に嵌合される嵌合凹部とを有する連結機構を設け、
上記係合凸部を、上記ハンガー本体側または上記フック部側の一方に設け、
上記嵌合凹部を、上記ハンガー本体側または上記フック部側の他方に設けたハンガー。
【請求項３】
請求項１または２に記載のハンガーを備えた洗濯機であって、上記ハンガーのフック部を引っ掛ける取り付け部を、洗濯物を収容する洗濯槽の上部を覆う上蓋の裏面側に設けてなる洗濯機。
【発明の詳細な説明】
【技術分野】
【０００１】
この発明は、ハンガーおよび洗濯機に関し、詳しくは、例えば、乾燥機能を備えた洗濯機内に洗濯物を吊して用いると好適なハンガーおよびそれを備えた洗濯機に関する。
【背景技術】
【０００２】
従来、洗濯物を乾燥させるために、洗濯物をハンガーに掛け、これを洗濯機の洗濯槽内に吊り下げて乾燥を行うものが提案されている。このハンガーとしては、洗濯機の上蓋の裏面に取り付けられたものがある(例えば、特開平０１−２４９０９７号公報(特許文献１)参照)。
【０００３】
上記ハンガーの複数の吊り下げ部に洗濯物を吊り下げて、洗濯機の洗濯槽内で洗濯物を温風により乾燥させる。
【先行技術文献】
【特許文献】
【０００４】
【特許文献１】特開平０１−２４９０９７号公報
【発明の概要】
【発明が解決しようとする課題】
【０００５】
上記ハンガーの構造では、洗濯物を掛けた状態で、乾燥運転でなく誤って洗濯運転や脱水運転を行うと、以下のような問題が生じる。
誤った操作により洗濯運転が実行されると、洗濯槽の攪拌翼(パルセータ)にハンガーに掛けられた洗濯物が絡みつき巻き込まれる。また、脱水運転が実行されると、高速回転する洗濯槽にハンガーに掛けられた洗濯物が引っ掛かり、絡まる。通常洗濯機の構造から、洗濯槽の外周を覆うようにして設けられた水槽との間に洗濯物が入り込み、高速回転される洗濯槽に巻き込まれて絡まる。これによりハンガーを介して上蓋に過大な負荷が働いて上蓋が損傷する恐れがあった。
【０００６】
そこで、この発明の課題は、洗濯機の上蓋の裏面に掛けて洗濯物を乾燥させるときに、誤ってハンガーに掛けられた洗濯物が、攪拌翼に巻き込まれても、洗濯槽に巻き込まれても上蓋の損傷を防止できるハンガーおよびそれを備えた洗濯機を提供することにある。
【課題を解決するための手段】
【０００７】
上記課題を解決するため、この発明のハンガーは、
ハンガー本体と、
上記ハンガー本体の首部に分離可能に取り付けられ、上記ハンガー本体を吊り下げるためのフック部と
を備えたことを特徴とする。
【０００８】
上記構成によれば、ハンガー本体の首部に分離可能に取り付けられたフック部によりハンガー本体を吊り下げることによって、例えば、洗濯機の上蓋の裏面にフック部を掛けて洗濯物を乾燥させるときに、ユーザーが誤って洗濯運転または脱水運転の操作をして洗濯物が攪拌翼、洗濯槽等に巻き込まれても、その回転トルクによりハンガー本体の首部からフック部が分離するので、ハンガーを介して上蓋に過大な負荷が働くことがない。したがって、簡単な構成で洗濯機の上蓋の損傷を防止することができる。
【０００９】
また、一実施形態のハンガーでは、
上記ハンガー本体と上記フック部とを結合すると共に、互いに分離可能な係合凸部およびその係合凸部に嵌合される嵌合凹部とを有する連結機構を設け、
上記係合凸部を、上記ハンガー本体側または上記フック部側の一方に設け、
上記嵌合凹部を、上記ハンガー本体側または上記フック部側の他方に設けた。
【００１０】
また、この発明の洗濯機では、
上記のハンガーを備えた洗濯機であって、上記ハンガーのフック部を引っ掛ける取り付け部を、洗濯物を収容する洗濯槽の上部を覆う上蓋の裏面側に設けてなる。
【００１１】
上記構成によれば、洗濯機の上蓋の裏面に掛けて洗濯物を乾燥させるときに誤って洗濯物が攪拌翼に巻き込まれても上蓋の損傷を防止できるハンガーを備えた洗濯機を提供できる。
【発明の効果】
【００１２】
以上より明らかなように、この発明によれば、洗濯機の上蓋の裏面に掛けて洗濯物を乾燥させるときに誤った操作により洗濯物が巻き込まれても上蓋の損傷を防止できるハンガーおよびそれを備えた洗濯機を実現することができる。
【図面の簡単な説明】
【００１３】
【図１】この発明の実施の一形態のハンガーのフック部が外れた状態の正面図である。
【図２】上記ハンガーのフック部が取り付けられた状態の正面図である。
【図３】図１に示す状態における上記ハンガーのフック部を含む要部の拡大図である。
【図４】図２に示す状態における上記ハンガーのフック部を含む要部の縦断面図である。
【図５】上記フック部を下方から見た下面図である。
【図６】上記ハンガーを用いた洗濯機を側方から見た縦断面図である。
【発明を実施するための形態】
【００１４】
以下、この発明のハンガーを図示の実施の形態により詳細に説明する。
【００１５】
図１はこの発明の実施の一形態のハンガー１００のフック部１０１が外れた状態の正面図を示している。
【００１６】
この実施の形態のハンガー１００は、図１に示すように、フック部１０１と、フック部１０１の下側に設けられた首部１０２と、首部１０２の両側から斜め下方かつ外側に向かって延びるショルダー部１０３,１０３と、ショルダー部１０３,１０３の下端間に架けられた横架部１０４とを有している。上記ハンガー１００の首部１０２の下側に補強用部材１０２aを設けている。このフック部１０１を除く首部１０２とショルダー部１０３,１０３と横架部１０４でハンガー本体を形成しており、樹脂成形により一体に形成されている。また、フック部１０１を樹脂成形により形成されている。
【００１７】
図２は上記ハンガー１００のフック部１０１が取り付けられた状態の正面図である。図１と同一の構成部には同一参照番号を付している。図２では、ハンガー本体側の首部１０２に設けられた係合凸部１１０,１１０(詳細は図３に示す)は、フック部１０１の基部１０１bの両側に設けられた係合凹部１２０,１２０(図３に示す)に嵌合している。
【００１８】
ここで、首部１０２の係合凸部１１０,１１０は、先端が半球の円柱形状をしている。
【００１９】
また、図３は上記ハンガー１００のフック部１０１を含む要部の拡大図を示している。
【００２０】
図３に示すように、フック部１０１は、洗濯機の上蓋の裏面に掛けるためのフックとなる湾曲部１０１aと、その湾曲部１０１aの下端から両側方に延びる基部１０１bを有する。また、ハンガー本体側の首部１０２の上部の両側に、上方に突出する固定部１０２b,１０２bを互いに間隔をあけて設けている。この固定部１０２b,１０２bの互いに対向する面に、内側に向かって突出する係合凸部１１０,１１０を突設している。そして、ハンガー本体側の首部１０２に設けられた係合凸部１１０,１１０は、フック部１０１の基部１０１bの両側に設けられた係合凹部１２０,１２０(図３に示す)に嵌合する。
【００２１】
図４は上記ハンガー１００のフック部１０１を含む要部の縦断面図を示し、図５はフック部１０１を下方から見た下面図を示している。
【００２２】
図４,図５示すように、フック部１０１の基部１０１bの両側に設けられた係合凹部１２０,１２０は、基部１０１bの両端に側面開口を夫々有すると共に、ハンガー本体側の首部１０２の係合凸部１１０,１１０の横断面形状よりも形状がやや小さい下面開口を下方に夫々有する。
【００２３】
このように、フック部１０１をハンガー本体側の首部１０２に取り付けるときは、フック部１０１をハンガー本体側の固定部１０２b,１０２b間に挿入し、フック部１０１の基部１０１bの係合凹部１２０,１２０に、上記下側開口から首部１０２の係合凸部１１０,１１０を係合させる。このとき、係合凹部１２０,１２０の下側開口は、フック部１０１の基部１０１bの弾性変形により広がる。
【００２４】
図６は上記ハンガー１００を用いた洗濯機を側方から見た縦断面図を示している。
【００２５】
図６に示すように、洗濯機は、金属または合成樹脂製の本体ケーシング１を備えている。本体ケーシング１は直方体形状に成形され、その上面および底面は開口部となっている。本体ケーシング１の上面開口部には操作パネル５等が設けられた合成樹脂製の上面板１１が固定されている。本体ケーシング１の底面開口部には、合成樹脂製のベース１２が固定されている。
【００２６】
上面板１１に洗濯機内に洗濯物を投入するための洗濯物投入口１aを設けている。その洗濯物投入口１aを開閉する上蓋４を、洗濯機の奧側で上面板１１に回動可能に支持している。上蓋４を上下に回動させて洗濯物投入口１aを開閉する。
【００２７】
本体ケーシング１内には、洗濯槽３とその洗濯槽３を収納する水槽２を収容している。洗濯槽３は、洗剤を溶かした水またはすすぎ用の水を溜める。水槽２および洗濯槽３は、上側が開口した有底筒状のカップの形状をしており、各々中心軸を垂直にして、水槽２を外側とし、洗濯槽３を内側とする形で同軸に配置されている。
【００２８】
洗濯槽３の上部開口部の縁に、洗濯物の脱水のため洗濯槽３を高速回転させたときに振動を抑制する働きをする環状のバランサ２０を装着している。洗濯槽３内の底面に撹拌翼２１を回転可能に配置している。
【００２９】
また、本体ケーシング１内の水槽２の下側に、クラッチ・ブレーキ機構３１とモータ３２とを有する駆動ユニット３０を取り付けている。
【００３０】
また、上記洗濯機は、本体ケーシング１内の上側かつ後面側に、ヒータ(図示せず)により加熱した乾燥用空気を洗濯槽３内に供給する乾燥空気送風部６を備えている。この乾燥空気送風部６は、洗濯槽３へと乾燥空気を吐出する吹出部６aと、その吹出部６aよりも上位置に洗濯槽３内の湿った空気を吸引する吸引部６bを備える。さらに、乾燥効率を上げるために、水槽２の上端部と上面板１１との間を連結する環状の蛇腹状の弾性体７が取り付けられる。これにより、水槽２を含め洗濯槽３と上蓋４との間の空間を気密状態にし、乾燥効率を上げることができる。また、上蓋４からの下部を乾燥空間として利用できる。
【００３１】
上記洗濯機の上蓋４の裏面側にハンガー取り付け部４a,４bを設けている。このハンガー取り付け部４a,４bに、図１に示すハンガー１００を掛けることによって、乾燥空気送風部６から洗濯槽３内に供給される乾燥空気により、狭い洗濯槽３内に干された洗濯物を乾燥させる。
【００３２】
上記構成のハンガー１００によれば、ハンガー本体の首部１０２に分離可能に取り付けられたフック部１０１によりハンガー本体を吊り下げることによって、洗濯機の上蓋４の裏面のハンガー取り付け部４a等にフック部１０１を掛けて洗濯物を乾燥させるときに、ユーザーが誤って洗濯運転または脱水運転の操作をして洗濯物が、例えば洗濯運転の実行により回転される攪拌翼２１に巻き込まれても、その回転トルクによりハンガー本体の首部１０２は、フック部１０１から分離するので、ハンガー１００を介して上蓋４に過大な負荷が働くことがない。したがって、簡単な構成で洗濯機の上蓋４の損傷を防止することができる。
【００３３】
また、誤った操作が脱水運転の場合、脱水運転開始により洗濯槽３が回転される。このとき、ハンガー１００に掛けられた洗濯物の一部が水槽２と洗濯槽３との間に入り込み、洗濯槽３に巻き込まれることが危惧される。もし、洗濯槽３に巻き込まれると、上述したように回転されるトルクにより上蓋４の取り付け部４ａ,４ｂに掛けられたフック部１０１からハンガー本体の首部１０２が分離される。これにより、ハンガー１００を介して上蓋４に過大な負荷が働くことなく、上蓋４の損傷が防止される。
【００３４】
上記実施の形態では、ハンガー本体の首部１０２に係合凸部１１０,１１０を設け、フック部１０１に嵌合凹部１２０,１２０を設けたが、ハンガー本体の首部に係合凹部を設け、フック部に嵌合凸部を設けてもよい。
【００３５】
また、上記実施の形態では、フック部１０１に嵌合凹部１２０,１２０にハンガー本体の首部１０２の係合凸部１１０,１１０を嵌合させた連結機構を用いたハンガー１００について説明したが、フック部とハンガー本体との連結機構はこれに限らず、ハンガー本体の首部に分離可能にフック部が取り付けられるものであればよい。
【００３６】
また、この発明のハンガーは、上記実施の形態のように、乾燥機能を備えた洗濯機内に洗濯物を吊して用いると好適であるが、単独で用いてもよいし、乾燥機などの他の装置に用いてもよい。
【００３７】
この発明の具体的な実施の形態について説明したが、この発明は上記実施の形態に限定されるものではなく、この発明の範囲内で種々変更して実施することができる。
【符号の説明】
【００３８】
１…本体ケーシング
２…水槽
３…洗濯槽
４…上蓋
４ａ,４ｂ…取り付け部
５…操作パネル
６…乾燥空気送風部
１１…上面板
１２…ベース
２０…バランサ
３０…駆動ユニット
３１…クラッチ・ブレーキ機構
３２…モータ
１００…ハンガー
１０１…フック部
１０１a…湾曲部
１０１b…基部
１０２…首部
１０２a…補強用部材
１０３,１０３…ショルダー部
１０４…横架部
１１０,１１０…係合凸部
１２０,１２０…係合凹部
【図１】
2014042738.tif 000003
【図２】
2014042738.tif 000004
【図３】
2014042738.tif 000005
【図４】
2014042738.tif 000006
【図５】
2014042738.tif 000007
【図６】
2014042738.tif 000008